(57)【要約】【課題】吸気口に入ったゴミや水分等が送風機の送風によっても冷却する基板に付着しないようにした。  【解決手段】本体ケース２内をグリル加熱室の上面位置で上下に区画する仕切板と、本体ケース内をグリル加熱室の右側及び左側にそれぞれ区画され、前後方向に延び、かつグルリ加熱室とは隔絶された左右の冷却室８Ｌ、８Ｒと、本体ケース内で仕切板の上方空間に配置された左右前方の誘導加熱式加熱源及６ＬＣ、６ＲＣび中央後方の中央加熱源７とを具備し、各冷却室には、内部に送風機３９を備え、外気の吸込口３２と吹出口３３とを有した風路ユニット３０と、風路ユニットから排出される冷却風が導入されると共に回路基板４１を収容した基板収納ケース３１とを設置し、風路ユニットの吸込口から内部へと連通させる連通口３４ｃより下方で、該吸込口側にポケット状のゴミ・水分収納部３６を設けている。  【選択図】図３
2011009049.tif 000002
【特許請求の範囲】
【請求項１】
グリル加熱室が形成されている本体ケースと、
前記本体ケースの上面に設けられたトッププレートと、
前記本体ケース内を前記グリル加熱室の上面位置で上下に区画する仕切板と、
前記本体ケース内を前記グリル加熱室の右側又は左側の少なくともいずれかにおいて区画され、前後方向に延び、かつ前記グリル加熱室とは隔てて設けられた冷却室と、
前記本体ケース内で、前記仕切板の上方空間に配置された前方の少なくとも１つの誘導加熱式加熱源とを具備し、
前記冷却室には、内部に送風機を備え、外気の吸込口と吹出口とを有した風路ユニットと、該風路ユニットから排出される冷却風が導入されると共に前記誘導加熱式加熱源のインバータ回路が実装された回路基板を収容した基板収納ケースとを設置し、
前記風路ユニットの吸込口から内部へと連通させる連通口より下方で、該吸込口側にポケット状のゴミ・水分収納部を設けたことを特徴とする電磁誘導加熱調理器。
【請求項２】
前記ゴミ・水分収納部は、前記風路ユニットにおける前記吸込口の下方に位置する内壁から前記連通口を狭くするように該連通口に向けて延びる収納部形成用リブを設けて形成されていることを特徴とする請求項１記載の電磁誘導加熱調理器。
【請求項３】
前記収納部形成用リブの先端側は前記風路ユニットの内部に向けて湾曲していることを特徴とする請求項２記載の電磁誘導加熱調理器。
【請求項４】
前記ゴミ・水分収納部の上方位置に設けられ、水と接触すると導通して水検知信号を出力する水検知センサと、
前記ゴミ・水分収納部に水分が溜まったことを報知する報知手段と、
前記水検知センサの水検知信号を受けて前記報知手段を駆動して報知を行わせる制御部とを備えたことを特徴とする請求項１〜３のいずれかに記載の電磁誘導加熱調理器。
【請求項５】
前記報知部は表示部又は／及び音声報知部であることを特徴とする請求項４記載の電磁誘導加熱調理器。
【請求項６】
前記ゴミ・水分収納部は水抜き穴を有することを特徴とする請求項１記載の電磁誘導加熱調理器。
【発明の詳細な説明】
【技術分野】
【０００１】
本発明は電磁誘導加熱調理器に関するものである。
【背景技術】
【０００２】
従来の誘導加熱装置は、回路部の収納部に収納されたシロッコファンは、天面枠の後方の吸気口に配置された多数の通気穴を有する吸排気グリルから吸入した空気を送風口から上基板、中基板、下基板へ送風し、これら基板及び基板上に設けられたヒートシンクを冷却するようにしている（例えば、特許文献１参照）。
【先行技術文献】
【特許文献】
【０００３】
【特許文献１】特許第３９９７８９５号公報（第６頁、図４）
【発明の概要】
【発明が解決しようとする課題】
【０００４】
従来の誘導加熱装置では、吸排気グリル越しにゴミや水分等が吸気口に侵入してしまったり、或いは清掃のため給排気グリルを吸気口から外した際に、誤ってゴミや水分等を吸気口に落としてしまったりすることがある。そして、吸気口に入ったゴミや水分等が、シロッコファンによって送風口からこれら基板に付着することにより、基板の故障へと繋がる可能性があるという問題があった。
本発明はかかる課題を解決するためになされたもので、吸気口に入ったゴミや水分等が送風機の送風によっても冷却する基板に付着することがないようにした電磁誘導加熱調理器を得ることを目的とする。
【課題を解決するための手段】
【０００５】
本発明に係る電磁誘導加熱調理器は、グリル加熱室が形成されている本体ケースと、前記本体ケースの上面に設けられたトッププレートと、前記本体ケース内を前記グリル加熱室の上面位置で上下に区画する仕切板と、前記本体ケース内を前記グリル加熱室の右側又は左側の少なくともいずれかにおいて区画され、前後方向に延び、かつ前記グリル加熱室とは隔てて設けられた冷却室と、前記本体ケース内で、前記仕切板の上方空間に配置された前方の少なくとも１つの誘導加熱式加熱源とを具備し、前記各冷却室には、内部に送風機を備え、外気の吸込口と吹出口とを有した風路ユニットと、該風路ユニットから排出される冷却風が導入されると共に前記誘導加熱式加熱源のインバータ回路が実装された回路基板を収容した基板収納ケースとを設置し、前記風路ユニットの吸込口から内部へと連通させる連通口より下方で、該吸込口側にポケット状のゴミ・水分収納部を設けている。
【発明の効果】
【０００６】
本発明に係る電磁誘導加熱調理器においては、本体ケース内をグリル加熱室の右側又は左側の少なくともいずれかにおいて区画され、前後方向に延び、かつグリル加熱室とは隔てて設けられた冷却室に設置された風路ユニットの吸込口から内部へ連通させる連通口より下方で、該吸込口側にポケット状のゴミ・水分収納部を設けたので、吸気口と連通する通風口を覆う無数の連通孔を有するカバー越しにゴミや水分などが吸気口に侵入してしまったり、或いは清掃のためカバーを外した際に、誤ってゴミや水分等を吸気口に落としてしまったりした場合、吸気口に入ったゴミや水分等がゴミ・水分収納部に収納されることにより、正常な運転環境下で風路ユニット内の送風機が駆動された場合、外部の空気が風路ユニットの吸込口から、内部へと連通させる連通口を経て風路ユニット内に吸引され、吸引された空気が送風機により吹出口から回路基板を収納する基板収納ケース内に入ったとしても、吸気口に入ったゴミや水分等が、基板収納ケース内の回路基板に付着し、回路基板の故障へと繋がることはなくなった。
【図面の簡単な説明】
【０００７】
【図１】本発明の実施の形態１に係る電磁誘導加熱調理器の一部を分解した状態の斜視図。
【図２】同電磁誘導加熱調理器の天板部を取り外した状態での中央加熱源を除いた本体部全体を示す斜視図。
【図３】同電磁誘導加熱調理器の上下仕切板等の主要な構成部品を取り外した状態で基板冷却ユニット等を示す分解斜視図。
【図４】同電磁誘導加熱調理器の基板冷却ユニットの分解斜視図。
【図５】同電磁誘導加熱調理器の基板冷却ユニットの風路ユニットを示す斜視図。
【図６】図１のＶ−Ｖ線断面図。
【図７】本発明の実施の形態２に係る電磁誘導加熱調理器の基板冷却ユニットにゴミや水分等が溜まった状態を報知する報知回路のブロック図。
【発明を実施するための形態】
【０００８】
実施の形態１．
図１は本発明の実施の形態１に係る電磁誘導加熱調理器の一部を分解した状態の斜視図、図２は同電磁誘導加熱調理器の天板部を取り外した状態での中央加熱源を除いた本体部全体を示す斜視図、図３は同電磁誘導加熱調理器の上下仕切板等の主要な構成部品を取り外した状態で基板冷却ユニット等を示す分解斜視図、図４は同電磁誘導加熱調理器の基板冷却ユニットの分解斜視図、図５は同電磁誘導加熱調理器の基板冷却ユニットの風路ユニットを示す斜視図、図６は図１のＶ−Ｖ線断面図である。
本発明の実施の形態の電磁誘導加熱調理器は、図１に示すように、略矩形の本体部Ａを中心に構成されている。本体部Ａの上面には天板部Ｂ（図中の符号２０，２１等）があり、本体部Ａの上面以外の周囲は筐体部Ｃ（図中の符号２等）により囲まれている。
【０００９】
図１において、天板部Ｂは上枠（枠体ともいう）２０と、上枠２０の開口部に取り付けられるトッププレート２１で構成されている。
上枠２０は、全体が非磁性ステンレス板又はアルミ板の金属製板から額縁状に形成され、本体ケース２の上面開口部を塞ぐような大きさを有している。上枠２０はネジ等の固定具で本体ケース２に固定されている。
また、トッププレート２１は、上枠２０の中央に設けられた大きな開口部を覆うように重ね合わせて設置されている。
また、トッププレート２１は、上枠２０の中央に設けられた大きな開口部を覆うように重ね合わせて設置されている。このトッププレート２１は、全体が耐熱強化ガラスや結晶化ガラスなどの赤外線を通過させる半透明な材料からなり、上枠２０の開口部の形状に合わせて長方形又は正方形に形成されている。
【００１０】
さらに、図１において、２０Ａは上枠２０の形成時にプレス機械で同時に打ち抜き形成された右通風口で、後述する送風機３９の吸気口となる。２０Ｂは同じく上枠２０の形成時に打ち抜き形成された中央通風口、２０Ｃは同じく上枠２０の形成時に打ち抜き形成された左通風口である。これら３つの通風口２０Ａ、２０Ｂ、２０Ｃの上には、上方全体を覆うように全体に亘り無数の小さな連通孔が形成された金属製平板状のカバー１３０が着脱自在に載せられている。
トッププレート２１の上面には、図１に示すように、左右のＩＨコイル６ＬＣ、６ＲＣ、中央加熱源７のおおまかな位置を示す円形の案内マーク６ＬＭ、６ＲＭ、７Ｍが、それぞれ印刷などの方法で表示されている。
【００１１】
また、トッププレート２１の左右方向の中央部で、前後方向の前側には、統合液晶表示部１００が設けられ、その統合液晶表示部１００の左右に液晶表示部４４Ｌ、４４Ｒが設けられている。
この統合液晶表示部１００の下方に統合液晶表示装置１０１が配置され、液晶表示部４４Ｌ、４４Ｒの下方に液晶表示装置４５Ｌ、４５Ｒが配置されている。
その統合液晶表示装置１０１は、左右のＩＨコイル６ＬＣ、６ＲＣ、中央加熱源７及びグリル加熱室９のヒータ等の通常状態（火力や時間等）を入力したり、確認することがきる。
また、左右の液晶表示装置４５Ｌ、４５Ｒは、タイマー調理の左右のＩＨコイル６ＬＣ、６ＲＣにおけるタイマースイッチを操作すると、そのスタート時点からの経過時間が計測されて数字で表示される。
【００１２】
本体部Ａの本体ケース２の内部には、トッププレート２１に載置された金属製鍋の被加熱物Ｎを誘導加熱するための誘導式加熱源である前方左右２つのＩＨコイル６ＬＣ、６ＲＣと、電気輻射熱で加熱する後方中央の電気ヒータ、例えばラジエントヒータと呼ばれる中央加熱源７と、これらの加熱源の調理条件を制御する制御装置、該制御装置に調理条件を入力する操作手段と、該操作手段により入力された加熱手段の動作条件を表示する統合液晶表示装置１０１を備えている。
【００１３】
図２に示すように、本体ケース２の内部は、大きく分けて前後方向に長く延びる右側冷却室８Ｒと左側冷却室８Ｌと、箱形のグリル加熱室９と、上部部品室１０と、後部中央の排気室１２が区画形成されている。これら各部屋は互いに完全に隔絶している訳ではなく、例えば右側冷却室８Ｒ、左側冷却室８Ｌと上部部品室１０及び排気室１２が連通している。
グリル加熱室９は後述するドア１３が閉じられた状態では、略独立した密閉空間になっているが、排気ダクト１４を介して本体ケース２の外部空間、つまり台所等の室内空間に連通している。
このグリル加熱室８の前面開口はドア１３によって開閉自在に覆われ、ドア１３は前後方向に移動自在になるようにグリル加熱室９の支持機構によって保持されている。
また、ドア１３の中央開口部１３Ａには耐熱ガラス製の窓板が設置され、グリル加熱室９の内部が外側から視認できるようになっている。ドア１３の開閉操作は前方に突出した取っ手１３Ｂによって行うことができる。
【００１４】
図２に示すように、２４Ｒは、垂直に設置されている右側の上下仕切板であり、本体ケース２の内部で右側冷却室８Ｒとグリル加熱室９間を隔てている仕切壁の役目となっている。２４Ｌは同じく左側の上下仕切板であり、左側冷却室８Ｌとグリル加熱室９間を隔てている仕切壁の役目となっている。なお、上下仕切板２４Ｒ、２４Ｌはグリル加熱室９の外側壁面と数ｍｍの間隔を保って設置されている。
２４Ａは左右の上下仕切板２４Ｒ、２４Ｌにそれぞれ形成した切欠部で、後述する冷却ダクト４２を水平に設置する際にそれと衝突しないように設けてある。
【００１５】
２５は水平仕切板であり、左右の上下仕切板２４Ｌ、２４Ｒの間全体を上下２つの空間に区画する大きさを有しており、この水平仕切板２５の上方が上部部品室１０である。また、この水平仕切板２５は、グリル加熱室９の天井面と数ｍｍから１ｃｍ程度の所定の空隙２６をもって設置されている。
２８は上部部品室１０と排気室１２とを仕切る後部仕切板であり、下端部は水平仕切板２５に、また上端部は上枠２０に対する高さ寸法を有している。２８Ａは後部仕切板２８に２箇所形成した排気穴で、上部部品室１０に入った冷却風を排気するためのものである。
【００１６】
図６に示すように、５８は上部部品室１０の右奥にあって一部は右側冷却室８Ｒの上方に入り出す形になっている電源基板であり、この電源基板５８に対して本体ケース２の背面下部から１００Ｖ又は２００Ｖの商用電源が引き込まれている。この電源基板５８には、例えば商用電源を整流するブリッジ回路のための各種電気部品群が実装されている。
なお、上部部品室１０の左奥隅にも、一部分が左側の冷却室８Ｌの上方に張り出す形になっている電源基板（図示省略）が設置されており、この電源基板は中央加熱源７とグリル加熱室９のヒータ２２、２３に電源を供給するものであり、電源基板５８から電力が供給される、加熱容量（火力）制御のための各種電気部品等が実装されている。
これら二つの電源基板は、水平仕切板２５の上面から一定の空隙を保つようにして、その水平仕切板２５にネジ等の固定手段で取り付けられている。その空隙は、後述する基板冷却ユニットＣＵからの冷却風を通り易くするためのものである。
【００１７】
図３に示すように、右側冷却室８Ｒと左側冷却室８Ｌには、それぞれ基板冷却ユニットＣＵが設置されている。なお、図４、図５に示す基板冷却ユニットＣＵは右側冷却室８Ｒに設置されるものである。左側冷却室８Ｌに設置される基板冷却ユニットＣＵは、右側冷却室８Ｒに設置される基板冷却ユニットＣＵと左右対称に構成される。
ここでは、右側冷却室８Ｒに設置される基板冷却ユニットＣＵについて説明する。
基板冷却ユニットＣＵは、吸込口３２から吸い込んだ空気を吹出口３３から冷却風として吹き出す風路ユニット３０と、風路ユニット３０の冷却風によって冷却される回路基板４１を内蔵する基板収納ケース３１とで構成されている。
【００１８】
風路ユニット３０は、半割吸込口３４ａを有し、片側に円形開口部３４ｂを有する円筒形の風路カバー３４と、一方で半割吸込口３５ａを有し、他方で半割吹出口３５ｂを有し、該風路カバー３２の円形開口部３４ｂを閉鎖する環状の送風機固定部品３５とで構成されている。
その円筒形の風路カバー３４に、半割吸込口３４ａの下方に位置する内壁から該半割吸込口３４ａの下部と内部とを連通させる連通口３４ｃを狭くするように該連通口３４ｃに向けて延びる収納部形成用リブ３４ｄを設けて、半割吸込口３４ａの下方にポケット状のゴミ・水分収納部３６を形成している。
その収納部形成用リブ３４ｄの先端側は、風路ユニット３０の吸込口３２から入った空気が連通口３４ｃを経て内部に円滑に入るように、風路ユニット３０の内部に向けて風路カバー３４の円形内壁と同じように湾曲させられている。
【００１９】
また、その環状の送風機固定部品３５は、中央に３つのステー３５ａで支持されたモーター収納筒３５ｂを有し、そのモーター収納筒３５ｂにモーター３７を収納しており、そのモーター３７の回転軸３７ａにファン３８が取り付けられている。このように、モーター３７とファン３８とで送風機３９が構成される。
そして、風路カバー３４の円形開口部３４ｂを、送風機３９を備えた円板状の送風機固定部品３５で閉鎖するように一体に組み合わせ、ネジ等の固定具で結合されることで一体構造物として形成されることにより、風路カバー３４の内部に送風機３９を有する送風機室が形成され、半割吸込口３４ａと半割吸込口３５ａとで吸込口３２が形成されると共にその吸込口３２から内部へと連通させる連通口３４ｃより下方で、該吸込口３２側にポケット状の水分、ゴミ収納部３６が形成される。
【００２０】
また、基板収納ケース３１は、例えば、２つのプラスチック製の半箱状のケース３１Ａ、３１Ｂを組み合わせ、ネジ等の固定具で結合されることで、一体構造物として形成される。
２つのプラスチック製ケース３１Ａ、３１Ｂのうち、一方のケース３１Ａには、環状の送風機固定部品３５のファン３８を覆うファンカバー部３１Ａａと半割吹出口３１Ａｂとが設けられている。
そして、環状の送風機固定部品３５に、そのファン３８を覆うようにケース３１Ａが組み付けられたとき、環状の送風機固定部品３５のファン３８をケース３１Ａのファンカバー部３１Ａａが覆い、環状の送風機固定部品３５の半割吹出口３５ｂとケース３１Ａの半割吹出口３１Ａｂとで吹出口３４が形成される。
【００２１】
また、２つのプラスチック製のケース３１Ａ、３１Ｂが組み合わされた基板収納ケース３１には、ＩＨコイル６に所定の高周波電力を供給するインバータ回路が実装された回路基板４１が内蔵されている。
なお、この回路基板４１には、インバータ回路の部分と離して送風機３９のモーター３７を駆動する電源・駆動回路も一緒に実装されている。
右側冷却室８Ｒと左側冷却室８Ｌのそれぞれに設置された各基板冷却ユニットＣＵの各風路ユニット３０の送風機３９は、左右のＩＨコイル６ＬＣ、６ＲＣ用の回路基板とそれらコイル自体を冷却するようになっている。その送風機３９は、そのモーター３７の回転軸３７ａが水平になっている所謂横軸型である。
風路ユニット３０の吸込口３２は、吸気口である右通風口２０Ａ、左通風口２０Ｂと連通している。
【００２２】
図３に示すように、基板収納ケース３１は全体が横長の長方形形状をしており、風路ユニット３０の吹出口３３から排出される冷却風が導入されるように風路ユニット３０と一体に構成されている。そして、吹出口３３に連通する導入口（図示せず）、後述する第１の排気口３１Ｄ及び第２の排気口３１Ｅの３箇所の部分だけを除いた部分全体が密閉されている。
基板収納ケース３１の上面には、送風機３９からの冷却風の流れる方向に沿って第１の排気口３１Ｄと第２の排気口３１Ｅを２個離して形成している。
第２の排気口３１Ｅは、基板収納ケース３１において冷却風の流れの最も下流側にあり、また第１の排気口３１Ｄよりも大きな開口面積（数倍の大きさの開口面積）を有している。
なお、図６において、Ｙ１からＹ５は送風機３９により吸い込まれる空気と排出される空気の流れを示すものであり、Ｙ１、Ｙ２・・・Ｙ５と順次冷却風は流れていく。
基板収納ケース３１と風路ユニット３０とは所謂基板冷却ユニットＣＵを構成しており、その基板冷却ユニットＣＵが冷却室８Ｒ、８Ｌに固定されている。
【００２３】
また、図６に示すように、各基板収納ケース３１と、各基板収納ケース３１の上方に位置する各ＩＨコイル６ＲＣ、６ＬＣとの間には冷却ダクト４２が配置させられている。
この冷却ダクト４２は、例えばプラスチックの一体成形品である上ケース４２Ａと、同じくプラスチックの入った一体成形品である下ケース４２Ｂとを重ね合わせてネジで固定することで、その両者の間の内部に後述する３つの通風空間４２Ｆ、４２Ｇ、４２Ｈが形成される。冷却ダクト４２の基板収納ケース３１側の一側縁部は方形で、残りの外周は円形になっている。
４２ＣＡは上ケース４２Ａの上面の後部に複数個（例えば、７個）、通風空間４２Ｆの周壁面を構成する上ケース４２Ａの上面の背面側に複数個（例えば、３個：これは図３では見えない位置にある）それぞれ形成した第１の噴出孔である。
第１の噴出孔４２ＣＡは、送風機３９からの冷却風を、主に冷却ダクト４２の真後ろと斜め後方、即ち、電源基板５８や中央加熱源７の方向に供給するために形成されている。なお、各噴出孔４２ＣＡの口径は同じにしてあり、例えば、直径８ｍｍの真円である。
【００２４】
４２ＣＢは、上ケース４２Ａの上面の全体に亘ってその壁面を貫通するよう多数形成した第２の噴出孔である。第２の噴出孔４２ＣＢは、送風機３９からの冷却風を主に上方、即ちＩＨコイル６ＲＣ、６ＬＣ方向に供給するために形成されている。なお、各噴出孔４２ＣＢの口径は同じにしてあり、例えば、直径１０ｍｍの真円である。
４２Ｄは、上ケース４２Ａの中に一体成形で直線又は曲線上に形成したリブ形状の仕切壁で、これにより基板収納ケース３１の第１の排気口３１Ｄに連通した通風空間４２Ｆが区画形成される。
４２Ｅは、同様に上ケース４２Ａの中に一体に形成した平面形状がコ字状の仕切壁で、これにより基板収納ケース３１の第２の排気口３１Ｅに連通した通風空間４２Ｈが区画形成される。この通風空間４２Ｈは仕切壁の一側部に形成した連通口４２Ｊを介して最も広い通風空間４２Ｇに連通している（図６参照）。
【００２５】
さらに、通風空間４２Ｈは、基板収納ケース３１の第２の排気口３１Ｅの真上になるように冷却ダクト４２が設置される。
これにより、基板収納ケース３１から吐き出される冷却風は、冷却ダクト４２の通風空間４２Ｈに入り、ここから通風区間４２Ｇに展開して第２の噴出孔４２ＣＢから噴出される。なお、４２Ｋは上ケース４２Ａの通風空間４２Ｈに対応して形成した四角形の通風口で、これは後述する液晶表示装置４５Ｒ、４５Ｌを冷却する風を出すものである。
【００２６】
上ケース４２Ａの背面側に形成した３個の第１の噴出孔４２ＣＡの一部（例えば２個）は電源基板５８又は電源基板５９と向き合うようにし、また残りの一部（例えば１個）は中央加熱源７の右側又は左側に向き合うように形成してあり、基板冷却ユニットＣＵの第１の排気口３１Ｄから通風空間４２Ｆに送り込まれた新鮮な冷却風を左右の電源基板５８、電源基板５９の方向及び中央加熱源７の側方に向けて噴き出すものである。
中央加熱源７を冷却した冷却風は、しかる後に、後部仕切板２８の排気孔２８Ａから排気室１２に入り、トッププレート２１の中央通風口２０ｃから外部に排出される。
【００２７】
この実施の形態１の加熱調理装置の操作手段は、前面操作部６０とからなっている。
本体ケース２の左右両側の全面にプラスチック製の前面操作パネル６２Ｒ、６２Ｌが取り付けられており、この操作パネルが前面操作部６０となっている。
この前面操作部６０には、左右のＩＨコイル６、中央加熱源７及びシーズヒータ２２、２３の全ての電源を一斉に投入・遮断しうる主電源スイッチの操作ボタン６３と、右のＩＨコイル６の通電とその通電量（火力）を制御する右操作ダイヤル６４Ｒと、同じく左のＩＨコイル６の通電とその通電量（火力）を制御する左操作ダイヤル６４Ｌとがそれぞれ設けられている。
【００２８】
図３に示すように、４６は内部に各種電気・電子部品や誘導加熱調理時の火力を光で表示する発光素子５７等が基板５６上に固定されて収容された前部品ケースで、上面が開放した透明プラスチック製の下ダクト４６Ａと、この下ダクト４６Ａの上面開口を塞ぐように密閉する蓋となる透明プラスチック製の上ダクト４６Ｂとから構成されている。
下ダクト４６Ａの右端部と左端部にはそれぞれ通風口４６Ｒ、４６Ｌが開口しており、中央の後部には通風を許容する切欠４６Ｃが形成されている。
【００２９】
上ダクト４６Ｂの天井面には、中央に統合表示装置１０１が、また左右には液晶表示装置４５Ｒ、４５Ｌがそれぞれ設置されている。
送風機３９の冷却風は、基板収納ケース３１の第２の排気口３１Ｅから冷却ダクト４２の通風空間４２Ｈに入り、ここから通風空間４２Ｈに対応して形成した通風口４２Ｋを通して液晶表示装置４５Ｒ、４５Ｌの下方から前部部品ケース４６に入り、切欠４６Ｃから上部部品室１０に排出されるものである。
【００３０】
これにより、液晶表示装置４５Ｒ、４５Ｌと統合液晶表示装置１０１は、ともに常に送風機３９からの冷却風で冷却される。特に、基板収納ケース３１の第２の排気口３１Ｅからの冷却風は、誘導加熱動作時に高温になる左右のＩＨコイル６ＬＣ、６ＲＣを冷却した風でないから、その温度は低く、液晶表示装置４５Ｒ、４５Ｌ及び統合表示装置１０１とともに、冷却風の風量が少ないながらも効果的に温度上昇が抑制される。
なお、図６の矢印Ｙ５は冷却風の流れで、下流側になる左右のＩＨコイル６ＬＣ、６ＲＣの後部位置が冷えにくいため、この実施の形態では、通風空間４２Ｆに第１の排気口３１Ｄから低温の風が直接供給されるようにして、当該部分を冷やすようにしている。
【００３１】
この実施の形態１において、正常な運転環境下で風路ユニット３０の送風機３９が駆動された場合、外部の空気が風路ユニット３０の吸込口３２から、内部へと連通させる連通口３４ｃを経て風路ユニット３０の内部に吸引される。
吸引された空気は風路ユニット３０の内部で高速回転しているファン３８により、吹出口３３から水平方向の前方に吐き出される。
吹出口３３の前方位置には風路ユニット３０と一体に接続される基板収納ケース３１があり、その空気導入口を風路ユニット３０の吹出口３３に連通させているから、基板収納ケース３１の内部は、その内部気圧（静圧）を上昇させるように送風機３９から空気が送り込まれる。送り込まれた冷却風の一部は、基板収納ケース３１の上面部で吹出口３３に近い側に設けられた第１の排気口３１Ｄから放出される。
【００３２】
第１の排気口３１Ｄから放出された空気の温度は、途中で高温の発熱体や発熱性電気部品等を冷却していないから、吹出口３３から出た直後の温度と殆ど同じであり、新鮮な空気のままである。第１の排気口３１Ｄから冷却ダクト４２の通風空間４２Ｆに送りこまれた冷却用空気は、第１の噴出孔４２ＣＡから図６の矢印Ｙ３で示すように上方へ噴出し、真上にある右ＩＨコイル６ＲＣの下面に衝突してそのコイルを効果的に冷却する。
なお、右ＩＨコイル６ＲＣの形状が、空冷用空気を一部で貫通させる空隙を有している場合はその空隙にも第１の排気口３１Ｄからの冷却風が進入し、それを貫通するように上方に流れて冷却する。
【００３３】
また、通風空間４２Ｆを構成する上ケース４２Ａの後部上面に７個、また背面側に３個形成された第１の噴出孔４２ＣＡからも、同時に新鮮な（室温と同等の低温の）冷却風が後方へ噴き出し、電源基板５８と中央加熱源７の側方に向かって流れていくので、それらの雰囲気温度を下げることができる。なお、電源基板５８と水平仕切板２５との間には空隙があるので、電源基板５８は上面と下面の双方から温度上昇が抑制される。
また、第１の噴出孔４２ＣＡからの噴出した冷却風が中央加熱源７の側方に向かって流すようにしたのは、中央加熱源７を冷却するためである。
中央加熱源７を冷却した冷却風は、後部仕切板２８の排気孔２８Ａから排気室１２に入り、トッププレート２１の中央通風口２０Ｂから外部に排出される。
一方、基板収納ケース３１の内部に送風機３９から送り込まれた冷却風は、回路基板４１の表面には向けられず、また回路基板４１の表面近くを流れる訳ではない。すなわち、冷却風は回路基板４１の表面（一側面）に突出した構造物となっている放熱フィンの部分を中心に多数の熱交換フィン素子間を通るように構成されており、放熱フィンが主に冷却される。
【００３４】
さらに、基板収納ケース３１の内部に吹出口３３から押し込まれた冷却風の中で、最も速度が速い本流は、図６に矢印Ｙ４で示すように吹出口３３から前方に一直線状に流れ、基板収納ケース３１において冷却風の流れの最も下流側位置にある第２の排気口３１Ｅから噴出される。第２の排気口３１Ｅは第１の排気口３１Ｄよりも数倍大きな開口面積を有しているため、吹出口３３から基板収納ケース３１に押し込まれた冷却風の大部分はこの第２の排気口３１Ｅから噴出する。
そして、噴出した冷却風は冷却ダクト４２の空間４２Ｇ、４２Ｈの中に案内され、その大部分の冷却風は、上ケース４２Ａの上面に多数形成した噴き出し孔４２ＣＡ、４２ＣＢから噴き出し、その真上にある右ＩＨコイル６ＲＣの下面に衝突してそのコイルを効果的に冷却する。
【００３５】
図６に示すように、冷却ダクト４２の空間４２Ｈの中に案内された冷却風の一部は、各種電気・電子部品や誘導加熱調理時の火力を光で表示する発光素子５７等が収容された前部部品ケース４６の中に導かれる。具体的には、送風機３９の冷却風は、基板収納ケース３１の第２の排気口３１Ｅから冷却ダクト４２の通風空間４２Ｈに入り、ここから通風空間４２Ｈに対応して形成した冷却ダクト４２の通風口４２Ｋを通り、その通風口４２Ｋの真上に密着するように位置している下ダクト４６Ａの通風口４６Ｒ、４６Ｌに入る。
【００３６】
これにより前部部品ケース４６に入った冷却風でまず液晶表示装置４５Ｒ、４５Ｌが下方から冷却されるとともに、その後、前部部品ケース４６内を流れて最後に切欠き４６Ｃから上部部品室１０に排出される過程で順次内蔵部品が冷却される。これにより液晶表示装置４５Ｒ、４５Ｌ、統合液晶表示装置１０１、各種電気・電子部品や誘導加熱調理時の火力を光で表示する発光素子５７等は順次冷却風で冷却される。特に、前部部品ケース４６の中に案内された冷却風は、誘導加熱動作時に高温になる左右ＩＨコイル６ＬＣ、６ＲＣを冷却した風でないから、その温度は低く、液晶表示装置４５Ｒ、４５Ｌ及び統合表示装置１０１等は、冷却風の風量が少ないながらも効果的に温度上昇が抑制されるように冷却され続ける。
【００３７】
１０個程度設けられている第１の噴出孔４２ＣＡと、それ以上に多数設けられている第２の噴出孔４２ＣＢとから噴出された冷却風は、図２、図６に示すように上部部品室１０を後方に向かって矢印Ｙ５、Ｙ６のように流れる。この冷却風の流れに、切欠き４６Ｃから上部部品室１０に排出された冷却風も合流し、本体部Ａの外部に連通している後部の排気室１２に流れることで、最終的に排気室１２から排出される。
【００３８】
この実施の形態１では、風路ユニット３０の吸込口３２から内部へ連通させる連通口３４ｃより下方で、吸込口３２の下方側にポケット状のゴミ・水分収納部３６を設けているので、吸気口３２と連通する右通風口２０Ａと左通風口２０Ｃを覆う無数の連通孔を有するカバー１３０越しにゴミや水分など吸気口３２に侵入してしまったり、或いは清掃のためカバー１３０を吸気口３２から外した際に、誤ってゴミや水分等を吸気口３２に落としてしまったりした場合、吸気口３２に入ったゴミや水分等がゴミ・水分収納部３６に収納されることにより、正常な運転環境下で風路ユニット３０内の送風機３９が駆動された場合、外部の空気が風路ユニット３０の吸込口３２から、内部へと連通させる連通口３４ｃを経て風路ユニット３０の内部に吸引され、吸引された空気が風路ユニット３０内の送風機３９により吹出口３３から回路基板４１を収納する基板収納ケース３１内に入ったとしても、吸気口３２に入ったゴミや水分等が、基板収納ケース３１内の回路基板４１に付着し、回路基板４１の故障へと繋がることはなくなった。また、ゴミ・水分収納部３６に溜まった水分は、時間の経過と共に蒸発してしまう。
【００３９】
なお、ゴミ・水分収納部３６に水抜き穴（図示省略）を設け、その水抜き穴の下方にドレインを設けておけば、吸気口３２に入ったゴミや水分等のうち、水分は水抜き穴を介してドレインに溜まるため、水分が正常な運転環境下で風路ユニット３０内の送風機３９が駆動された場合に回路基板４１を収納する基板収納ケース３１内に入ることは全くなくなる。
【００４０】
実施の形態２．
図７は本発明の実施の形態２に係る電磁誘導加熱調理器の基板冷却ユニットにゴミや水分等が溜まった状態を報知する報知回路のブロック図である。
この実施の形態２は、ゴミ・水分収納部３６の上方位置に、水と接触すると導通して水検知信号を出力する水検知センサ１１０が設けられている。
図７に示すように、その水検知センサ１１０は制御部１１１に接続され、制御部１１１にはゴミ・水分収納部３６に水分が溜まったことを報知するための例えばランプが点灯する表示部１１２と、ゴミ・水分収納部３６に水分が溜まったことを音声で報知する音声報知部１１３が接続されている。
【００４１】
この実施の形態２では、カバー１３０越しにゴミや水分など吸気口３２に侵入してしまったり、或いは清掃のためカバー１３０を吸気口３２から外した際に、誤ってゴミや水分等を吸気口３２に落としてしまったりした場合、吸気口３２に入ったゴミや水分等がゴミ・水分収納部３６に収納され、その水分がゴミ・水分収納部３６に溜まって所定の水位に達すると、水検知センサ１１０の水検知信号が制御部１１１に送られ、制御部１１１は表示部１１２を駆動してランプを点灯させると共に音声報知部１１３を駆動してゴミ・水分収納部３６に水分が溜まったことを音声で報知するため、使用者側にゴミ・水分収納部３６の清掃時期を知らせることができる。
【符号の説明】
【００４２】
２  本体ケース、６ＲＣ、６ＬＣ  誘導加熱式加熱源（ＩＨコイル）、７  中央加熱源、８Ｒ、８Ｌ  冷却室、９  グリル加熱室、１２  排気室、２０  枠体、２０Ａ  右通風口、２０Ｂ  中央通風口、２０Ｃ  左通風口、２１  トッププレート、２４Ｌ，２４Ｒ  上下仕切板、２５  水平仕切板、２８  後部仕切板、２８Ａ  排気穴、３０  風路ユニット、３１  基板収納ケース、３１Ａ  半割ケース、３１Ｂ  半割ケース、３１Ｄ  第１の排気口、３１Ｅ  第２の排気口、３２  吸込口、３３  吹出口、３４  風路カバー、３４ｃ連通口、３４ｄ  収納部形成用リブ、３５  送風機固定部品、３５ｄ  モーター収納筒、３６  ゴミ・水分収納部、３７  モーター、３８  ファン、３９  送風機、４１  回路基板、４２  冷却ダクト、４２ＣＡ  第１の噴出口、４２ＣＢ  第２の噴出口、５８  電源基板、１３０  カバー、ＣＵ  基板冷却ユニット。
【図１】
2011009049.tif 000003
【図２】
2011009049.tif 000004
【図３】
2011009049.tif 000005
【図４】
2011009049.tif 000006
【図５】
2011009049.tif 000007
【図６】
2011009049.tif 000008
【図７】
2011009049.tif 000009